(57)【要約】【課題】画像における被写体の動きに対する劣化を低減しつつ、撮像素子の温度上昇を低減する。【解決手段】撮像装置１は、２次元状に配置された複数の画素を有する撮像素子３と、撮像素子３の温度に応じた検出温度Ｔを得る温度検出手段１６と、連続撮影モードにおいて、温度検出手段１６により検出された検出温度Ｔに応じて段階的に変化して検出温度Ｔが相対的に高い場合には相対的に大きくなる間引き率で、前記複数の画素から画素信号が読み出されるように撮像素子３を制御する制御部５と、を備える。【選択図】図１
2013058854.tif 000002
【特許請求の範囲】
【請求項１】
２次元状に配置された複数の画素を有する撮像素子と、
前記撮像素子の温度に応じた検出温度を得る温度検出手段と、
連続撮影モードにおいて、前記温度検出手段により検出された前記検出温度に応じて段階的に変化して前記検出温度が相対的に高い場合には相対的に大きくなる間引き率で、前記複数の画素から画素信号が読み出されるように前記撮像素子を制御する制御部と、
を備えたことを特徴とする撮像装置。
【請求項２】
前記制御部は、前記連続撮影モードにおいて、前記温度検出手段により検出された前記検出温度に応じて段階的に変化して前記検出温度が相対的に高い場合には相対的に低くなるフレームレートで、前記複数の画素から画素信号が読み出されるように前記撮像素子を制御することを特徴とする請求項１記載の撮像装置。
【請求項３】
前記間引き率を変化させる閾値となる前記検出温度のうち最も低い温度が、前記フレームレートを変化させる閾値となる前記検出温度のうち最も低い温度よりも低いことを特徴とする請求項２記載の撮像装置。
【請求項４】
前記制御部は、前記連続撮影モードにおいて、前記前記温度検出手段により検出された前記検出温度が所定温度以上である場合に、前記撮像素子の読み出し動作を停止させることを特徴とする請求項１乃至３のいずれかに記載の撮像装置。
【請求項５】
前記連続撮影モードは、動画撮影モード及びライブビューモードのいずれか一方又は両方であることを特徴とする請求項１乃至４のいずれかに記載の撮像装置。
【発明の詳細な説明】
【技術分野】
【０００１】
本発明は、撮像装置に関するものである。
【背景技術】
【０００２】
下記特許文献１に開示された撮像装置は、所定のフレームレートでライブビュー表示を行う撮像装置において、装置本体の内部の温度を取得する第１の取得手段と、前記装置本体に装着される電池の温度を取得する第２の取得手段と、前記第１の取得手段によって取得した前記装置本体の内部温度と、前記第２の取得手段によって取得した前記電池温度とを比較し、前記装置本体の内部温度に対して前記電池温度が所定値以上高温である場合に、前記ライブビュー表示のフレームレートを低くするように制御する制御手段と、を備えたものである。
【０００３】
この従来の撮像装置によれば、装置本体の内部温度に対して電池温度が所定値以上高温である場合に、ライブビュー表示のフレームレートが低くされることで、消費電力が低減され、電池温度の上昇が低減される。
【先行技術文献】
【特許文献】
【０００４】
【特許文献１】特開２００９−３０２６５８号公報
【発明の概要】
【発明が解決しようとする課題】
【０００５】
一般的に、撮像装置で用いられている撮像素子は、その温度が上昇すると、暗電流が増大して特性が劣化したり、破壊されるおそれが生じたりすることが知られている。そして、ライブビューモードなどの連続撮影モードでは、撮像素子の温度が上昇する。
【０００６】
そこで、前記従来の撮像装置に準じて、撮像素子の温度が所定温度以上である場合に、連続撮影のフレームレートを低くすることで、撮像素子の温度上昇を低減することが考えられる。
【０００７】
しかしながら、この場合には、コマ速が遅くなってしまい、画像における被写体の動きがスムーズにならずに被写体の動きに対する劣化が生じてしまう。
【０００８】
本発明は、このような事情に鑑みてなされたもので、画像における被写体の動きに対する劣化を低減しつつ、撮像素子の温度上昇を低減することができる撮像装置を提供することを目的とする。
【課題を解決するための手段】
【０００９】
前記課題を解決するための手段として、以下の各態様を提示する。第１の態様による撮像装置は、２次元状に配置された複数の画素を有する撮像素子と、前記撮像素子の温度に応じた検出温度を得る温度検出手段と、連続撮影モードにおいて、前記温度検出手段により検出された前記検出温度に応じて段階的に変化して前記検出温度が相対的に高い場合には相対的に大きくなる間引き率で、前記複数の画素から画素信号が読み出されるように前記撮像素子を制御する制御部と、を備えたものである。
【００１０】
第２の態様による撮像装置は、前記第１の態様において、前記制御部は、前記連続撮影モードにおいて、前記温度検出手段により検出された前記検出温度に応じて段階的に変化して前記検出温度が相対的に高い場合には相対的に低くなるフレームレートで、前記複数の画素から画素信号が読み出されるように前記撮像素子を制御するものである。
【００１１】
第３の態様による撮像装置は、前記第２の態様において、前記間引き率を変化させる閾値となる前記検出温度のうち最も低い温度が、前記フレームレートを変化させる閾値となる前記検出温度のうち最も低い温度よりも低いものである。
【００１２】
もっとも、前記第２の態様では、前記間引き率を変化させる閾値となる前記検出温度のうち最も低い温度が、前記フレームレートを変化させる閾値となる前記検出温度のうち最も低い温度よりも高くてもよいし、両者の温度が同一でもよい。
【００１３】
第４の態様による撮像装置は、前記第１乃至第３のいずれかの態様において、前記制御部は、前記連続撮影モードにおいて、前記前記温度検出手段により検出された前記検出温度が所定温度以上である場合に、前記撮像素子の読み出し動作を停止させるものである。
【００１４】
第５の態様による撮像装置は、前記第１乃至第４のいずれかの態様において、前記連続撮影モードは、動画撮影モード及びライブビューモードのいずれか一方又は両方であるものである。
【発明の効果】
【００１５】
本発明によれば、画像における被写体の動きに対する劣化を低減しつつ、撮像素子の温度上昇を低減することができる撮像装置を提供することができる。
【図面の簡単な説明】
【００１６】
【図１】本発明の第１の実施の形態による撮像装置を示す概略ブロック図である。
【図２】図１中の撮像素子を示す概略構成図である。
【図３】図１に示す撮像装置のライブビューモードの動作を示す概略フローチャートである。
【図４】図１中の撮像素子の、相対的に小さい間引き率での読み出し動作における読み出し時間と消費電力との関係を模式的に示す図である。
【図５】図１中の撮像素子の、相対的に大きい間引き率での読み出し動作における読み出し時間と消費電力との関係を模式的に示す図である。
【図６】図１中の撮像素子のライブビューモード時の、経過時間と検出温度との関係の例を模式的に示す図である。
【図７】本発明の第２の実施の形態による撮像装置のライブビューモードの動作を示す概略フローチャートである。
【発明を実施するための形態】
【００１７】
以下、本発明による撮像装置について、図面を参照して説明する。
【００１８】
［第１の実施の形態］
図１は、本発明の第１の実施の形態による撮像装置１を示す概略ブロック図である。本実施の形態による撮像装置１は、いわゆるデジタルカメラとして構成されているが、本発明による撮像装置は、ビデオカメラ等の他の撮像装置でもよい。
【００１９】
本実施の形態による撮像装置１には、撮影レンズ２が装着される。撮影レンズ２は、レンズ制御部４よってフォーカスや絞りが駆動される。撮影レンズ２の像空間には、撮像素子３の撮像面が配置される。
【００２０】
撮像素子３は、撮像制御部５から出力される制御信号によって駆動され、信号を出力する。本実施の形態では、撮像素子３は、２次元状に配置された複数の画素を有し、前記複数の画素から画素信号が行単位で順次読み出されるように構成され、撮像制御部５による制御下で、前記複数の画素から行毎に読み出すことも、指定した行の画素からの画素信号のみを読み出すこともできるように構成されている。撮像素子３から出力される信号は、信号処理部６、及びＡ／Ｄ変換部７を介して処理された後、メモリ８に一旦蓄積される。メモリ８は、バス９に接続される。バス９には、レンズ制御部４、撮像制御部５、ＣＰＵ１０、記録部１１、画像処理部１２、画像圧縮部１３、背面液晶パネル等の表示部１４を制御する表示制御部１５、及び、撮像素子３の温度に応じた検出温度を得る温度検出手段としての温度センサ１６なども接続される。ＣＰＵ１０には、レリーズ釦などの操作部１７が接続される。また、記録部１１には記録媒体１１ａが着脱自在に装着される。なお、信号処理部６及びＡ／Ｄ変換部７を撮像素子３に搭載してもよい。
【００２１】
温度センサ１６は、撮像素子３の温度を直接的又は間接的に検出し、撮像素子３の温度に応じた検出温度Ｔを示す検出温度データを出力する。この検出温度データは、バス９を介してＣＰＵ１０に供給される。
【００２２】
図２は、図１中の撮像素子３の概略構成を示す回路図である。撮像素子３は、ＣＭＯＳイメージセンサとして構成されている。撮像素子３は、２次元マトリクス状に配置された複数の画素２０と、画素２０から信号を出力するための周辺回路とを有している。図２において、横に４行縦に４行の１６個の画素２０を示している。しかし、本実施の形態では、画素数はそれよりもはるかに多くなっている。もっとも、本発明では、画素数は特に限定されるものではない。
【００２３】
各画素２０は、周知のように、例えば、光電変換部としてのフォトダイオード、転送トランジスタ、増幅トランジスタ、行選択トランジスタ及びリセットトランジスタを用いて構成される。図１では、これらの図示は省略している。
【００２４】
周辺回路は、垂直走査回路２１、水平走査回路２２、これらと接続されている駆動信号線２３，２４、画素２０からの信号を受け取る垂直信号線２５、垂直信号線２５と接続される定電流源２６及び相関二重サンプリング回路（ＣＤＳ回路）２７、ＣＤＳ回路２７から出力される信号を受け取る水平信号線２８等からなる。
【００２５】
垂直走査回路２１及び水平走査回路２２は、図１中の撮像制御部５からの制御信号に基づいて駆動信号を出力する。各画素２０は、垂直走査回路２１から出力される駆動信号を所定の駆動信号線２３から受け取って駆動され、画素信号を垂直信号線２５に出力する。本実施の形態では、垂直走査回路２１は、垂直方向の間引きが可能となるように構成され、撮像制御部５による制御下で、画素２０から行毎に読み出すことも、指定した行の画素からの画素信号のみを読み出すこともできるように構成され、間引き率を変更してその間引き率に応じた行の画素の画素信号のみを読み出すこともできるように構成されている。例えば、全行の画素２０から画素信号を読み出す場合の間引き率は０％であり、ｎ−１行置きに１行ずつの各行の画素２０のみの画素信号を読み出す場合には、ｎ行当たり１行の画素２０のみの画素を読み出すことから、読み出し率は（１／ｎ）×１００％であるので、間引き率は｛（ｎ−１）／ｎ｝×１００％となる。
【００２６】
画素２０から出力された信号は、ＣＤＳ回路２７にて所定のノイズ除去が施される。そして、水平走査回路２２の駆動信号により水平信号線２８を介して外部に信号が出力される。本実施の形態では、水平走査回路２２は、全列の画素２０からの信号を読み出すように構成され、水平方向の間引き読み出しは行われないようになっている。もっとも、本発明では、水平方向の間引き読み出しを行ってもよい。
【００２７】
図３は、図１に示す撮像装置１のライブビューモード（ＬＶ）の動作を示す概略フローチャートである。ライブビューモードは、撮像素子３で連続して繰り返し撮影する連続撮影モードのうちの１つの動作モードであって、撮像素子３で撮像した画像をリアルタイムで動画像として表示部１４に表示する動作モードである。
【００２８】
本実施の形態では、操作部１７によりライブビューモードの開始が指令されると、ライブビューモードが開始され、まず、ＣＰＵ１０は、温度センサ１６から検出温度Ｔを取得する（ステップＳ１）。
【００２９】
次に、ＣＰＵ１０は、ステップＳ１で最新に取得した検出温度Ｔが所定温度Ｔｍａｘよりも低いか否かを判定する（ステップＳ２）。ステップＳ２で検出温度Ｔが所定温度Ｔｍａｘ以上であると判定されると、ライブビューモードが強制的に終了される。一方、ステップＳ１で検出温度Ｔが所定温度Ｔｍａｘよりも低いと判定されると、ＣＰＵ１０は、ステップＳ１で最新に取得した検出温度Ｔが所定温度Ｔａよりも低いか否かを判定する（ステップＳ３）。所定温度Ｔａは、所定温度Ｔｍａｘよりも低い温度に設定されている。
【００３０】
ステップＳ３で検出温度Ｔが所定温度Ｔａよりも低いと判定されると、撮像制御部５が、撮像素子３から相対的に低い間引き率Ｍ１（＜Ｍ２）で１フレームの読み出し（行を間引いた１フレーム分の画素信号の読み出し）が行われるよう撮像素子３を制御するように、ＣＰＵ１０は撮像制御部５に指令を与え（ステップＳ４）、ステップＳ６へ移行する。ステップＳ４により、撮像素子３から相対的に低い間引き率Ｍ１（＜Ｍ２）で１フレームの画像信号の読み出しが行われ、その１フレームの画像信号は、信号処理部６により増幅等された後にＡ／Ｄ変換部７によりＡ／Ｄ変換され、画像データとしてメモリ８に蓄積され、ステップＳ６へ移行する。なお、間引き率Ｍ１は０％でもよく、この場合には、行間引きは行われない。
【００３１】
一方、ステップＳ３で検出温度Ｔが所定温度Ｔａ以上であると判定されると、撮像制御部５が、撮像素子３から相対的に高い間引き率Ｍ２（＞Ｍ１）で１フレームの読み出し（行を間引いた１フレーム分の画素信号の読み出し）が行われるよう撮像素子３を制御するように、ＣＰＵ１０は撮像制御部５に指令を与え（ステップＳ５）、ステップＳ６へ移行する。ステップＳ５により、撮像素子３から相対的に高い間引き率Ｍ２（＞Ｍ１）で１フレームの画像信号の読み出しが行われ、その１フレームの画像信号は、信号処理部６により増幅等された後にＡ／Ｄ変換部７によりＡ／Ｄ変換され、画像データとしてメモリ８に蓄積され、ステップＳ６へ移行する。
【００３２】
例えば、間引き率Ｍ１は、３行当たり１行の画素を読み出す間引き率に設定し、間引き率Ｍ２は、５行当たり１行の画素を読み出す間引き率に設定することができる。
【００３３】
ステップＳ６では、ＣＰＵ１０は、ステップＳ４又はＳ５で最新に読み出されてメモリ８に蓄積された１フレームの画像データを表示部１４の表示に適した画像サイズにリサイズするなどの信号処理を、画像処理部１２に行わせる。
【００３４】
次に、表示制御部１５が、ステップＳ６でリサイズ等の信号処理がなされた１フレームの画像を表示部１４に表示させるように、ＣＰＵ１０は表示制御部１５に指令を与える（ステップＳ７）。このステップＳ７により、その画像が表示部１４に表示される。
【００３５】
その後、ＣＰＵ１０は、操作部１７から、ライブビューモードを終了させる旨の指令が得られたか否かを判定し（ステップＳ８）、その指令が得られていればライブビューモードを終了する一方、その指令が得られていなければステップＳ１へ戻る。
【００３６】
なお、本実施の形態では、ステップＳ４，Ｓ５での１フレームの読み出しは、検出温度Ｔと無関係に一定のフレームレート（例えば、３０ｆｐｓ）で行われるようになっている。
【００３７】
本実施の形態では、ＣＰＵ１０のステップＳ３〜Ｓ５に応じた撮像制御部５の機能が、ライブビューモードにおいて、温度センサ１６からの検出温度Ｔに応じて段階的に変化して検出温度Ｔが相対的に高い場合には相対的に大きくなる間引き率で、画素２０から画素信号が読み出されるように撮像素子３を制御する制御部に相当している。本実施の形態では、間引き率を変化させる閾値となる温度が１つの温度Ｔａのみであり、間引き率が検出温度Ｔに応じて２段階（Ｍ１とＭ２）に変化するようになっているが、間引き率を変化させる閾値となる温度を２つ以上とし、間引き率が３段階以上に変化するようにしてもよい。
【００３８】
図４は、図１中の撮像素子３の、相対的に小さい間引き率Ｍ１（＜Ｍ２）での読み出し動作における読み出し時間と消費電力との関係を模式的に示す図である。図５は、図１中の撮像素子３の、相対的に大きい間引き率Ｍ２（＞Ｍ１）での読み出し動作における読み出し時間と消費電力との関係を模式的に示す図である。図４は、間引き率Ｍ１をｎ行当たり１行の画素を読み出す間引き率に設定した例を示し、図５は、間引き率Ｍ２を２ｎ行当たり１行の画素を読み出す間引き率に設定した例を示している。図４及び図５のいずれにおいても、フレームレートは同一で、各フレームの時間は同一にされている。
【００３９】
図４では、間引き率Ｍ１が相対的に小さいので、各フレームの時間中の読み出し時間が長くなり、その結果、撮像素子３の単位時間の平均的な消費電力が大きくなって、単位時間当たりの平均的な発熱量が大きくなる。一方、間引き率Ｍ２が相対的に大きいので、各フレームの時間中の読み出し時間が短くなり、その結果、撮像素子３の単位時間の平均的な消費電力が小さくなって、単位時間当たりの平均的な発熱量が小さくなる。
【００４０】
図６は、図１中の撮像素子３のライブビューモード時の、経過時間と検出温度Ｔとの関係の例を模式的に示す図である。図６に示す例では、ライブビューモードの開始時点ｔ０で検出温度ＴがＴ０（＜Ｔａ）であり、前述した図３に示す動作に従って、時点ｔ０以降は相対的に小さい間引き率Ｍ１（＜Ｍ２）での読み出し動作が繰り返され、そのときの発熱量が相対的に大きいので比較的急に撮像素子３の検出温度Ｔが上昇していき、時点ｔ１で検出温度Ｔが前記所定温度Ｔａに達する。その結果、時点ｔ１以降は相対的に大きい間引き率Ｍ２（＞Ｍ１）での読み出し動作が繰り返され、そのときの発熱量が相対的に小さいので比較的緩慢に撮像素子３の検出温度Ｔが上昇していき、時点ｔ２で検出温度Ｔが前記所定温度Ｔｍａｘに達する。その結果、時点ｔ２で、ライブビューモードが強制的に終了される。よって、時点ｔ２以降は、撮像素子３の温度が低下していく。
【００４１】
本実施の形態では、前述したように、温度センサ１６からの検出温度Ｔに応じて段階的に変化して検出温度Ｔが相対的に高い場合には相対的に大きくなる間引き率で、画素２０から画素信号が読み出されるように撮像素子３が制御される。したがって、本実施の形態によれば、ライブビューモードにおいて、検出温度Ｔが高い場合には、撮像素子３の消費電力が低減され、ひいては、撮像素子３の温度上昇が低減される。このため、本実施の形態によれば、時点ｔ２以降も相対的に小さい間引き率Ｍ１での読み出しを継続する場合に比べて、ライブビューモードを開始した時点ｔ０からライブビューモードが強制終了される時点ｔ２までの時間を延ばすことができる。
【００４２】
そして、本実施の形態によれば、撮像素子３の検出温度Ｔが上昇しても、フレームレートを低下させないので、コマ速が遅くならず、画像における被写体の動きがスムーズなままにすることができ、画像における被写体の動きに対する劣化が生じない。
【００４３】
このように、本実施の形態によれば、ライブビューモードにおいて、画像における被写体の動きに対する劣化を防止しつつ、撮像素子３の温度上昇を低減することができる。
【００４４】
さらに、本実施の形態によれば、撮像素子３の検出温度Ｔが所定温度Ｔｍａｘ以上である場合に、ライブビューモードが強制的に終了されるので、温度上昇に伴う撮像素子３の破壊等を未然に防止することができる。
【００４５】
以上、ライブビューモードについて説明したが、本実施の形態では、連続撮影モードの１つである動画撮影モードにおいても、図３と同様の動作が行われる。ただし、動画撮影モードでは、ステップＳ７において、ステップＳ６でリサイズ等の信号処理がなされた１フレームの画像を、表示部１４に表示させる代わりに、記録部１１によって記録媒体１１ａに記録させる。
【００４６】
このように、本実施の形態では、ライブビューモード及び動画撮影モードの両方において、検出温度Ｔに応じた間引き率の変更を行っているが、いずれか一方のモードにおいてのみ検出温度Ｔに応じた間引き率の変更を行うようにしてもよい。
【００４７】
［第２の実施の形態］
図７は、本発明の第２の実施の形態による撮像装置のライブビューモードの動作を示す概略フローチャートであり、図３に対応している。図７において、図３中のステップと同一又は対応するステップには同一符号を付し、その重複する説明は省略する。
【００４８】
本実施の形態が前記第１の実施の形態と異なる所は、ライブビューモードにおいて図３に示す動作に代えて図７に示す動作が行われ、動画撮影モードにおいて図３に示す動作と同様の動作に代えて図７に示す動作と同様の動作が行われる点のみである。
【００４９】
前記第１の実施の形態で行われる図３に示すライブビューモードの動作では、検出温度Ｔに応じた間引き率の変更のみが行われ、検出温度Ｔに応じたフレームレートの変更は行われていない。これに対し、本実施の形態で行われる図７に示すライブビューモードの動作では、検出温度Ｔに応じた間引き率の変更のみならず、検出温度Ｔに応じたフレームレートの変更も行われる。これについて、以下に、図７を参照して具体的に説明する。
【００５０】
なお、間引き率が同一であっても、フレームレートが高ければ、撮像素子３の単位時間の平均的な消費電力が大きくなって、単位時間当たりの平均的な発熱量が大きくなる一方、フレームレートが低ければ、撮像素子３の単位時間の平均的な消費電力が小さくなって、単位時間当たりの平均的な発熱量が小さくなる。
【００５１】
本実施の形態では、図７において、ステップＳ３でＹＥＳの場合、ＣＰＵ１０は、次回の読み出しの間引き率を相対的に低い間引き率Ｍ１（＜Ｍ２）に設定した（ステップＳ２１）後、ステップＳ２３へ移行する。一方、ステップＳ３でＮＯの場合、ＣＰＵ１０は、次回の読み出しの間引き率を相対的に高い間引き率Ｍ２（＞Ｍ１）に設定した（ステップＳ２２）後、ステップＳ２３へ移行する。
【００５２】
ステップＳ２３において、ＣＰＵ１０は、ステップＳ１で最新に取得した検出温度Ｔが所定温度Ｔｂよりも低いか否かを判定する。所定温度Ｔｂは、所定温度Ｔｍａｘよりも低い温度に設定されている。
【００５３】
ステップＳ２３で検出温度Ｔが所定温度Ｔｂよりも低いと判定されると、ＣＰＵ１０は、次回のフレームレートを相対的に高いフレームレートＦ１（＞Ｆ２）に設定した（ステップＳ２４）後、ステップＳ２６へ移行する。一方、ステップＳ２３で検出温度Ｔが所定温度Ｔｂ以上であると判定されると、ＣＰＵ１０は、次回のフレームレートを相対的に低いフレームレートＦ２（＜Ｆ１）に設定した（ステップＳ２５）後、ステップＳ２６へ移行する。例えば、フレームレートＦ１は３０ｆｐｓに設定し、フレームレートＦ２は１５ｆｐｓに設定することができる。
【００５４】
ステップＳ２６において、ＣＰＵ１０は、現時点が、現在設定されているフレームレート（すなわち、ステップＳ２４又はＳ２５で最新に設定されたフレームレート）による読み出し開始タイミングであるか否かを判定する。このとき、ＣＰＵ１０は、前回読み出したフレームの読み出し開始時点から、現在設定されているフレームレートに応じたフレーム時間を経過している場合に、現時点が読み出し開始タイミングであると判定する一方、前回読み出したフレームの読み出し開始時点から、現在設定されているフレームレートに応じたフレーム時間を経過していない場合に、現時点が読み出し開始タイミングでないと判定する。ただし、ライブビューモードを開始してから１番目のフレームを読み出す場合には、ＣＰＵ１０は、ステップＳ２６において、直ちに現時点が読み出し開始タイミングであると判定する。
【００５５】
ステップＳ２６において現時点が読み出し開始タイミングでないと判定されると、ステップＳ２６を繰り返し、現時点が読み出し開始タイミングとなるまで待つ。一方、ステップＳ２６において現時点が読み出し開始タイミングであると判定されると、ステップＳ２７へ移行する。
【００５６】
ステップＳ２７において、ＣＰＵ１０は、現在設定されている間引き率（すなわち、ステップＳ２１又はＳ２２で最新に設定された間引き率）で、撮像素子３から１フレームの読み出し（行を間引いた１フレーム分の画素信号の読み出し）が行われるよう撮像素子３を制御するように、ＣＰＵ１０は撮像制御部５に指令を与える。ステップＳ２７により、撮像素子３からその間引き率で１フレームの画像信号の読み出しが行われ、その１フレームの画像信号は、信号処理部６により増幅等された後にＡ／Ｄ変換部７によりＡ／Ｄ変換され、画像データとしてメモリ８に蓄積され、ステップＳ６へ移行する。
【００５７】
その後、ステップＳ６において、ＣＰＵ１０は、ステップＳ２７で最新に読み出されてメモリ８に蓄積された１フレームの画像データを表示部１４の表示に適した画像サイズにリサイズするなどの信号処理を、画像処理部１２に行わせる。
【００５８】
本実施の形態では、前述したように、温度センサ１６からの検出温度Ｔに応じて段階的（本実施の形態では２段階であるが、３段階以上としてもよい。）に変化して検出温度Ｔが相対的に高い場合には相対的に大きくなる間引き率で、画素２０から画素信号が読み出されるように撮像素子３が制御されるとともに、温度センサ１６からの検出温度Ｔに応じて段階的（本実施の形態では２段階であるが、３段階以上としてもよい。）に変化して検出温度Ｔが相対的に高い場合には相対的に低くなるフレームレートで、画素２０から画素信号が読み出されるように撮像素子３が制御される。したがって、本実施の形態によれば、ライブビューモードにおいて、検出温度Ｔが高い場合には、撮像素子３の消費電力が低減され、ひいては、撮像素子３の温度上昇が低減される。
【００５９】
そして、本実施の形態では、前述したように、ライブビューモードにおいて、検出温度Ｔに応じたフレームレートの変更のみならず、検出温度Ｔに応じた間引き率の変更も行われる。したがって、本実施の形態によれば、検出温度Ｔに応じた間引き率の変更を行うことなく検出温度Ｔに応じたフレームレートの変更のみを行う場合に比べて、フレームレートの低下の度合いを低減することができ、コマ速をさほど遅くせずにすみ、画像における被写体の動きを比較的スムーズなままにすることができ、画像における被写体の動きに対する劣化を低減することができる。
【００６０】
このように、本実施の形態によれば、ライブビューモードにおいて、画像における被写体の動きに対する劣化を低減しつつ、撮像素子３の温度上昇を低減することができる。
【００６１】
なお、間引き率を変化させる閾値となる所定温度のうち最も低い所定温度Ｔａは、フレームレートを変化させる閾値となる所定温度のうち最も低い所定温度Ｔｂよりも低くてもよい。また、所定温度Ｔａは、所定温度Ｔｂと同一でもよいし、所定温度Ｔｂよりも高くてもよい。
【００６２】
以上、ライブビューモードについて説明したが、本実施の形態では、連続撮影モードの１つである動画撮影モードにおいても、図７と同様の動作が行われる。ただし、動画撮影モードでは、ステップＳ７において、ステップＳ６でリサイズ等の信号処理がなされた１フレームの画像を、表示部１４に表示させる代わりに、記録部１１によって記録媒体１１ａに記録させる。
【００６３】
このように、本実施の形態では、ライブビューモード及び動画撮影モードの両方において、検出温度Ｔに応じた間引き率の変更及び検出温度Ｔに応じたフレームレートの変更を行っているが、いずれか一方のモードにおいてのみ検出温度Ｔに応じた間引き率の変更及び検出温度Ｔに応じたフレームレートの変更を行うようにしてもよい。
【００６４】
以上、本発明の各実施の形態について説明したが、本発明はこれらの実施の形態に限定されるものではない。
【００６５】
例えば、前記各実施の形態では、所定の間引き率とするために、所定行数置きに１行ずつ読み出しているが、本発明では、必ずしもこれに限らない。たとえば、所定の間引き率とするために、ｎ行置きにｍ行（ｍは２以上）ずつ読み出してもよいし、一部の連続する行のみを部分的に読み出してもよい。
【符号の説明】
【００６６】
１  撮像装置
３  撮像素子
５  撮像制御部
１６  温度センサ
【図１】
2013058854.tif 000003
【図２】
2013058854.tif 000004
【図３】
2013058854.tif 000005
【図４】
2013058854.tif 000006
【図５】
2013058854.tif 000007
【図６】
2013058854.tif 000008
【図７】
2013058854.tif 000009